(57)【要約】      （修正有）【課題】巻線端末に加わる負荷を軽減することが可能なコイル部品及びトランスを提供する。【解決手段】トランス１は、巻線から成るコイルＣと、コイルＣから引き出された巻線端末３ｂがコイルＣの巻軸方向に交差する方向に延在するように支持するホルダー６を備える。また、トランス１は、巻線端末３ｂの先端部３ｃと接合するための複数の挿通孔を有する基板９を備える。ホルダー６は、巻線端末３ｂの少なくとも一部を収容し、巻線端末３ｂの先端部３ｃを挿通孔に向かわせるように延在してガイドするガイド溝７、８を有する。また、ホルダー６は、基板９に垂直な方向への巻線端末３の移動を制限する挿通孔１７、１８の壁面１７ａ、１８ａを有する。【選択図】図１
2019169562.tif 000002
【特許請求の範囲】
【請求項１】
巻線から成るコイルと、
該コイルから引き出された巻線端末が前記コイルの巻軸方向に交差する方向に延在するように支持するホルダーと、
前記巻線端末の先端部と接合するための複数の接合部を有する基板と、を備え、
前記ホルダーは、
前記巻線端末の少なくとも一部を収容し、前記巻線端末の先端部を前記接合部に向かわせるように延在してガイドするガイド溝と、
前記基板に垂直な方向への前記巻線端末の移動を制限する移動制限部と、を有することを特徴とするコイル部品。
【請求項２】
前記移動制限部は、前記ホルダーに形成された前記巻線端末を通す挿通孔の壁面であり、
前記挿通孔と前記ガイド溝とが連続して形成されている請求項１に記載のコイル部品。
【請求項３】
前記移動制限部は、前記ホルダーの端部に設けられて、前記ホルダーにおける前記基板側とは逆側への前記巻線端末の移動を制限する爪部であり、
該爪部は、前記ホルダーにおける前記基板側とは逆側から前記巻線端末を覆うように形成されている請求項１に記載のコイル部品。
【請求項４】
前記ガイド溝は、直線的に延在する直線部と、該直線部に対して交差する方向に延在する交差部と、を備え
前記直線部は、前記交差部よりも前記基板側に設けられており、前記基板に対して垂直に延在している請求項１から３のいずれか一項に記載のコイル部品。
【請求項５】
前記ホルダーと前記基板との一方は、他方に向かって突出して形成された複数の係合突起を有し、
前記ホルダーと前記基板との他方には、前記係合突起に係合する複数の被係合部が形成されている請求項１から４のいずれか一項に記載のコイル部品。
【請求項６】
前記コイルに組付けられるコアと、
該コアと前記ホルダーとを固定する帯状部材と、を更に備え、
前記ホルダーは、前記コアを挟持するように一対設けられており、
前記帯状部材は、前記コアと前記一対のホルダーを囲って固定しており、前記巻線端末の少なくとも一部を覆うように、前記巻線端末を収容している前記ガイド溝の少なくとも一部に亘って配設されている請求項１から５のいずれか一項に記載のコイル部品。
【請求項７】
前記コイルが取り付けられるボビンと、
前記巻線端末が前記ボビンから前記ホルダーの前記ガイド溝に向かって延在するように、複数の前記巻線端末を個別に支持する支持部と、を更に備える請求項１から６のいずれか一項に記載のコイル部品。
【請求項８】
前記支持部は、複数の前記巻線端末を個別に間隔を空けて支持可能となるように、櫛歯状に形成されている請求項７に記載のコイル部品。
【請求項９】
前記ガイド溝の壁面に、前記ガイド溝内に挿入された前記巻線端末の抜け出しを防ぐように係止する係止爪を備え、
該係止爪は、前記ガイド溝の開口を狭めるように形成されている請求項１から８のいずれか一項に記載のコイル部品。
【請求項１０】
前記ガイド溝に取り付けられる封止材を更に備え、
該封止材は、前記ガイド溝内に挿入された前記巻線端末を覆うように前記ガイド溝に取り付けられている請求項１から９のいずれか一項に記載のコイル部品。
【請求項１１】
第１巻線から成る第１コイルと、
該第１コイルとは異なる巻数の第２巻線から成る第２コイルと、
前記第１コイルから引き出された第１巻線端末、及び前記第２コイルから引き出された第２巻線端末を支持するホルダーと、
前記第１巻線端末の先端部及び前記第２巻線端末の先端部と接合する複数の接合部を有する基板と、を備え、
前記ホルダーは、
前記第１巻線端末の少なくとも一部及び前記第２巻線端末の少なくとも一部を収容し、前記第１巻線端末の先端部及び前記第２巻線端末の先端部を前記接合部に向かわせるように延在してガイドする複数のガイド溝と、
前記基板に垂直な方向への前記第１巻線端末及び前記第２巻線端末の移動を制限する複数の移動制限部と、を有することを特徴とするトランス。
【請求項１２】
前記複数のガイド溝は、前記基板の第１接合部に向かって延在する第１ガイド溝と、前記基板の第２接合部に向かって延在する第２ガイド溝と、を含み、
前記第１ガイド溝は、前記第２ガイド溝に交差しない位置で、前記基板の前記第１接合部に向かって前記基板に対して垂直に延在し、
前記第２ガイド溝は、前記基板の前記第２接合部に向かって直線的に延在する直線部と、該直線部に対して交差する方向に延在する交差部と、を備え、
前記直線部は、前記交差部よりも前記基板側に設けられ、前記基板に対して垂直に延在している請求項１１に記載のトランス。
【発明の詳細な説明】
【技術分野】
【０００１】
本発明は、巻線端末を好適に支持可能なコイル部品及びトランスに関する。
【背景技術】
【０００２】
巻線材を巻回したコイルに対して磁性材料からなるコアを挿通した各種のコイル部品が提供されている。
コイル部品のうち、例えば車載用ＤＣ−ＤＣコンバータに用いられるトランスは、数ＫＷの電力を扱うが、バッテリー電圧の値が小さいため電流を多く流す必要がある。そして多くの電流を流すために、線径の大きい巻線材（φ１〜φ２程度）を備えるトランスが用いられている。
また、水冷トランスにおいては、水を循環させる構成を組み込むために、トランス全体としては小型化が求められている。
【０００３】
しかし、小型ボビンの端子に対する太線の巻線の端子絡げは困難であり、絡げなしでボビンから基板に引き出された引出端子とせざるを得ない。この場合、引出端子では端子位置の精度確保は困難であった。特に、この精度確保ができないため、自動機での実装は非常に困難であった。
【０００４】
特許文献１には、線径が大きい巻線材の端末を基板に容易に接続可能としつつ、プラスチック成形体を備えたトランスが開示されている。このトランスのプラスチック成形体は、空中配線された巻線端末（同文献には、コイル端末と記載）を貫挿する貫通孔を有して、巻線端末の位置決めを行いつつ、基板に対してトランスが傾斜することがないように保持するものである。
【先行技術文献】
【特許文献】
【０００５】
【特許文献１】特開２００６−２７８７９２号公報
【発明の概要】
【発明が解決しようとする課題】
【０００６】
しかし、車載用のコンバータにおいては、車両の振動負荷が巻線端末に加わる。このため、特許文献１のように巻線端末が空中配線されていると、巻線端末と基板又はボビンとの間で相互に負荷が加わることで、巻線端末の端子と基板との接続状態を安定的に維持することが困難であった。
【０００７】
本発明は、上述のような課題に鑑みてなされたものであり、巻線端末に加わる負荷を軽減することが可能なコイル部品及びトランスを提供するものである。
【課題を解決するための手段】
【０００８】
本発明によれば、巻線から成るコイルと、該コイルから引き出された巻線端末が前記コイルの巻軸方向に交差する方向に延在するように支持するホルダーと、前記巻線端末の先端部と接合する複数の接合部を有する基板と、を備え、前記ホルダーは、前記巻線端末の少なくとも一部を収容し、前記巻線端末の先端部を前記接合部に向かわせるように延在してガイドするガイド溝と、前記基板に垂直な方向への前記巻線端末の移動を制限する移動制限部と、を有することを特徴とするコイル部品が提供される。
【０００９】
また、本発明によれば、第１巻線から成る第１コイルと、該第１コイルとは異なる巻数の第２巻線から成る第２コイルと、前記第１コイルから引き出された第１巻線端末、及び前記第２コイルから引き出された第２巻線端末を支持するホルダーと、前記第１巻線端末の先端部及び前記第２巻線端末の先端部と接合する複数の接合部を有する基板と、を備え、前記ホルダーは、前記第１巻線端末の少なくとも一部及び前記第２巻線端末の少なくとも一部を収容し、前記第１巻線端末の先端部及び前記第２巻線端末の先端部を前記接合部に向かわせるように延在してガイドする複数のガイド溝と、前記基板に垂直な方向への前記第１巻線端末及び前記第２巻線端末の移動を制限する複数の移動制限部と、を有することを特徴とするトランスが提供される。
【発明の効果】
【００１０】
本発明によれば、巻線端末に加わる負荷を軽減することが可能なコイル部品及びトランスを提供できる。
【図面の簡単な説明】
【００１１】
【図１】本発明の実施形態に係るトランスの上面側を示す斜視図である。
【図２】トランスの下面側を示す斜視図である。
【図３】ベースに対して、ホルダー及び基板を取り付ける前の状態のトランスを示す斜視図である。
【図４】ボビンにコイルが巻回される前のベースを示す斜視図である。
【図５】ボビンにコイルが巻回された後、コアがベースに取り付けられる前の状態を示す斜視図である。
【図６】コアがベースに取り付けられた状態を示す斜視図である。
【図７】一対のホルダー及び基板を示す斜視図である。
【図８】ホルダーに巻線端末が通され、巻線端末がガイド溝に沿って折り曲げられた状態を示す図であって、基板との位置関係を示す模式的な正面図である。
【図９】第１変形例に係るホルダーの断面の一部を示す図であり、図３のIX-IX断面に対応する部位における模式的な断面図である。
【図１０】他の例に係るホルダーの断面の一部を示す図であり、図３のIX-IX断面に対応する部位における模式的な断面図である。
【図１１】第２変形例に係る爪部を有するホルダーの一部を示す上側斜視図である。
【発明を実施するための形態】
【００１２】
以下、本発明の実施形態を図面に基づいて説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
また、全ての図面において、同様な構成要素には同様の符号を付し、重複する説明は適宜省略する。また、本明細書では上下方向を規定して説明する場合があるが、これは構成要素の相対関係を説明するために便宜的に設定するものであり、本発明に係る製品の製造時や使用時の方向を限定するものではない。
【００１３】
＜＜概要＞＞
まず、本実施形態に係るトランス１の概要について、図１〜図３を主に参照して説明する。図１は、本発明の実施形態に係るトランス１の上面側を示す斜視図、図２は、トランス１の下面側を示す斜視図、図３は、ベース５に対して、ホルダー６及び基板９を取り付ける前の状態のトランス１を示す斜視図である。
また、図１に示すように、便宜上、ＸＹＺ直交三軸方向を定義する。図２以下も共通とする。具体的には、ボビン２５の軸線方向（コイルＣの巻線方向）をＸ方向と呼称し、ボビン２５の一方の端部にある支持部２６と支持部２７とを結ぶ方向をＺ方向（上下方向）と呼称し、Ｘ方向及びＺ方向に垂直な方向をＹ方向と呼称する。
【００１４】
本実施形態に係るコイル部品（トランス１）は、巻線から成るコイルＣと、コイルＣから引き出された巻線端末２ｂ、３ｂがコイルＣの巻軸方向に交差する方向に延在するように支持するホルダー６と、を備える。更にコイル部品（トランス１）は、巻線端末２ｂの先端部と接合するための複数の接合部（挿通孔９ａ、９ｂ）を有する基板９を備える。
ホルダー６は、巻線端末２ｂ、３ｂの少なくとも一部を収容し、巻線端末２ｂ、３ｂの先端部２ｃ、３ｃを接合部（挿通孔９ａ、９ｂ）に向かわせるように延在してガイドするガイド溝７、８を有する。また、ホルダー６は、基板９に垂直な方向への巻線端末２ｂ、３ｂの移動を制限する移動制限部（挿通孔１７、１８の壁面１７ａ、１８ａ）と、を有する。
【００１５】
ここで、「巻線端末２ｂ、３ｂの先端部２ｃ、３ｃを接合部（挿通孔９ａ、９ｂ）に向かわせるように延在」するとは、巻線端末２ｂ、３ｂの少なくとも一部がガイド溝７、８の内壁面に当接することによって、その延在方向が修正される構成を意味する。換言すると、ガイド溝７、８は、巻線端末２ｂ、３ｂが引き出された部位に近い側から基板９側の接合部（挿通孔９ａ、９ｂ）に向かって延在している。そして、直線的に延在するガイド溝７を含むとともに、ガイド溝７、８の延在方向における中間部分の形状は任意に設定可能である。
【００１６】
「基板９に垂直な方向への巻線端末２ｂ、３ｂの移動を制限する移動制限部」とは、巻線端末２ｂ、３ｂが基板９に対する垂直な方向に移動する際に、巻線端末２ｂ、３ｂのいずれか一部に当接可能に構成されているものである。例えば、後述する挿通孔１７、１８の壁面１７ａ、１８ａや、後述する爪部５６ａがこれに該当する。
【００１７】
このような構成によれば、ホルダー６のガイド溝７、８により、巻線端末２ｂ、３ｂの先端部を接合部（挿通孔９ａ、９ｂ）に接合する位置にガイドすることができる。さらに、移動制限部（挿通孔１７、１８の壁面１７ａ、１８ａ）で巻線端末２ｂ、３ｂの移動を制限できる。このため、コイル部品（トランス１）に振動が加わったとしても、巻線端末２ｂ、３ｂにおける基板９の接合部（挿通孔９ａ、９ｂ）に接合される部位に加わる負荷を軽減することができる。なお、巻線端末２ｂ、３ｂは、基板９の挿通孔９ａ、９ｂに通された先で半田によって基板９に接合されるものであり、本実施形態に係る接合部は、半田充填される挿通孔９ａ、９ｂとする。
【００１８】
また、本実施形態に係るトランス１は、第１巻線から成る第１コイル（１次コイル２）と、第１コイル（１次コイル２）とは異なる巻数の第２巻線から成る第２コイル（２次コイル３）と、を備える。また、トランス１は、第１コイル（１次コイル２）から引き出された第１巻線端末（巻線端末２ｂ）、及び第２コイル（２次コイル３）から引き出された第２巻線端末（巻線端末３ｂ）を支持するホルダー６を備える。さらに、トランス１は、第１巻線端末（巻線端末２ｂ）の先端部及び第２巻線端末（巻線端末３ｂ）の先端部と接合する複数の接合部（挿通孔９ａ、９ｂ）を有する基板９を備える。
ホルダー６は、第１巻線端末（巻線端末２ｂ）の先端部及び第２巻線端末（巻線端末３ｂ）の先端部を接合部（挿通孔９ａ、９ｂ）に向かわせるように延在してガイドする複数のガイド溝７、８を有する。ガイド溝７、８は、第１巻線端末（巻線端末２ｂ）の少なくとも一部及び第２巻線端末（巻線端末３ｂ）の少なくとも一部を収容するものである。
さらに、ホルダー６は、基板９に垂直な方向への第１巻線端末（巻線端末２ｂ）及び第２巻線端末（巻線端末３ｂ）の移動を制限する複数の移動制限部（挿通孔１７、１８の壁面１７ａ、１８ａ）を有する。
【００１９】
上記同様、「第１巻線端末（巻線端末２ｂ）の先端部及び第２巻線端末（巻線端末３ｂ）の先端部を接合部（挿通孔９ａ、９ｂ）に向かわせるように延在」するとは、第１巻線端末（巻線端末２ｂ）及び第２巻線端末（巻線端末３ｂ）の少なくとも一部がガイド溝７、８の内壁面に当接することによって、その延在方向が修正される構成を意味する。
このような構成によれば、トランス１においても上記コイル部品と同様の効果を奏し得る。
【００２０】
＜＜構成＞＞
次に、本実施形態に係るトランス１の構成の詳細について、図１〜図３に加えて、図４〜図８を参照して説明する。
図４は、ボビン２５にコイルＣが巻回される前のベース５を示す斜視図、図５は、ボビン２５にコイルＣが巻回された後、コア１１がベース５に取り付けられる前の状態を示す斜視図である。図６は、コア１１がベース５に取り付けられた状態を示す斜視図、図７は、一対のホルダー６及び基板９を示す斜視図である。図８は、ホルダー６に巻線端末２ｂ、３ｂが通され、巻線端末２ｂ、３ｂがガイド溝７、８に沿って折り曲げられた状態を示す図であって、基板９との位置関係を示す模式的な正面図である。
【００２１】
トランス１を構成するベース５は、コイルＣを支持する部材である。ベース５及び後述するホルダー６は、フェノール樹脂等の樹脂材料によって形成されている。ベース５は、コイルＣが取り付けられる略筒状のボビン２５と、コイルＣの巻線端末２ｂ、３ｂがボビン２５からホルダー６のガイド溝７、８に向かって延在するように、複数の巻線端末２ｂ、３ｂを個別に支持する一対の支持部２６、２７と、を備える。
ここで、巻線端末２ｂ、３ｂをガイド溝７、８に向かって延在するように支持するとは、支持部２６、２７における、巻線端末２ｂ、３ｂに当接する部位の少なくとも一部がガイド溝７、８に向かって延在していることを意味するものとする。このような構成により、巻線端末２ｂ、３ｂの移動を支持部２６、２７の当接する部位によって制限することで、ガイド溝７、８に向かって延在するように支持することができる。
ボビン２５は、コイルＣが巻回される筒部２５ａと、筒部２５ａの両端に一体的に形成された一対の鍔部２５ｂと、から構成されている。
【００２２】
図４において、支持部２６は、一対の鍔部２５ｂそれぞれの上部に設けられており、鍔部２５ｂに対して、外側及び上方に突出するように一体的に形成されている。
支持部２７は、一対の鍔部２５ｂそれぞれの下部に設けられており、鍔部２５ｂに対して、外側及び下方に突出するように一体的に形成されている。
支持部２６、２７により、後述するホルダー６のガイド溝７、８に向かって巻線端末２ｂ、３ｂが延在するように、巻線端末２ｂ、３ｂを支持することができ、ガイド溝７、８に挿入しやすくなる。
【００２３】
特に、ボビン２５の軸方向の両端に設けられたそれぞれ一対の支持部２６、２７は、複数の巻線端末２ｂ、３ｂを個別に間隔を空けて支持可能となるように、櫛歯状に形成されている。
具体的には、一対の支持部２６、２７のそれぞれは、中心側壁２６ａ、２７ａと、傾斜壁２６ｂ、２７ｂと、立壁２６ｃ、２７ｃと、対向壁２６ｄ、２７ｄと、から主に構成されている。
【００２４】
中心側壁２６ａ、２７ａは、厚みを有した円弧状に形成されており、鍔部２５ｂからボビン２５の軸方向外側に突出するように形成されている。中心側壁２６ａ、２７ａにおけるボビン２５の径方向内側の面が、筒部２５ａの内面に連続して形成されており、後述するコア１１のコア芯部１１ａの形状に沿うように形成されている。
傾斜壁２６ｂ、２７ｂは、支持部２６及び支持部２７ごとに一対設けられており、中心側壁２６ａ、２７ａの両端部からボビン２５の軸線からＺ方向に離れるにつれて末広がりとなるようにハの字状に延在している。傾斜壁２６ｂ、２７ｂは、後述するコア１１のコア端部１１ｂの形状に沿うように形成されている。
立壁２６ｃ、２７ｃは、支持部２６及び支持部２７ごとに一対設けられており、傾斜壁２６ｂ、２７ｂにおける中心側壁２６ａとは逆側にある端部に連続して形成されている。立壁２６ｃは上方に、立ち壁２７ｃは下方にそれぞれ延在している。
対向壁２６ｄ、２７ｄは、鍔部２５ｂと連続して一体的に形成されて、後述するホルダー６の厚肉部６ｂに対向する位置に設けられている。
【００２５】
対向壁２６ｄ、２７ｄには、巻線端末２ｂ、３ｂを通して突出する内壁面である爪部２６ｇ、２７ｇによって保持する挿通孔２６ｅ、２７ｅと、上記櫛歯を形成するように、挿通孔２６ｅ、２７ｅから延在する切欠き２６ｆ、２７ｆと、が形成されている。切欠き２６ｆ、２７ｆは、巻線端末２ｂ、３ｂをベース５の外方（上方又は下方）から挿通孔２６ｅ、２７ｅへとガイドする機能を有する。具体的には、支持部２６は、挿通孔２６ｅから上方向に延在し、支持部２７は、挿通孔２７ｅから下方向に延在している。
挿通孔２６ｅ、２７ｅ及び切欠き２６ｆ、２７ｆは、Ｙ方向において、等間隔に設けられた３つを一組としたとき、水平方向の中央部分に間を空けて二組ずつ形成されている。
櫛歯状に形成された支持部２６、２７により、複数の巻線端末２ｂ、３ｂを間隔を空けて個別に支持できることにより、巻線端末２ｂ、３ｂの短絡を防止可能に支持することができる。
【００２６】
特に、挿通孔２６ｅ、２７ｅを形成する壁面には、切欠き２６ｆ、２７ｆとの境目において、切欠き２６ｆ、２７ｆの壁面に対して隆起した爪部２６ｇ、２７ｇが形成されている。このように形成された爪部２６ｇ、２７ｇが、挿通孔２６ｅ、２７ｅに収容された巻線端末２ｂ、３ｂに当接することで、巻線端末２ｂ、３ｂにおける挿通孔２６ｅ、２７ｅから切欠き２６ｆ、２７ｆに向かって抜け出る向きの移動を制限することができる。
【００２７】
また、本実施形態に係る切欠き２６ｆは、切欠き２７ｆよりも長く形成されている。換言すると、切欠き２６ｆは、上下方向においてボビン２５の軸線に近い位置まで延在している。このように形成されていることで、切欠き２６ｆの端部にある挿通孔２６ｅの位置を、切欠き２７ｆの端部にある挿通孔２７ｅの位置からずらして配置することができる。そして、異なる位置から引き出される巻線端末２ｂ、３ｂの引出方向の延長上に挿通孔２６ｅ、２７ｅをそれぞれ配置することができる。このため、挿通孔２６ｅ、挿通孔２７ｅに巻線端末２ｂ、３ｂを挿通させた状態において、挿通孔２６ｅ、２７ｅの壁面から巻線端末２ｂ、３ｂに荷重が加わりにくくすることができる。
【００２８】
ボビン２５に巻回されたコイルＣは、入力側の１次コイル２と、出力側の２次コイル３と、から構成されている。図３及び図５に示すように、１次コイル２の両端部にある巻線端末２ｂのそれぞれは、一対の支持部２７のそれぞれの挿通孔２７ｅ、及び後述する一対のホルダー６のそれぞれの挿通孔１７に通されて、ガイド溝７に沿って配設される。２次コイル３の両端部にある巻線端末３ｂのそれぞれは、一対の支持部２６の挿通孔２６ｅ、及び後述するホルダー６の挿通孔１８を通されて、ガイド溝８に沿って配設される。
【００２９】
コア１１は、通電されたコイルＣが形成する磁束の磁路を構成する部材である。本実施形態のコア１１は、いわゆるＰＱコアであり、閉磁路構造を有する。具体的には、コア１１は、ボビン２５に挿通されるコア芯部１１ａと、コア芯部１１ａのＸ方向における外側端部において延在するコア端部１１ｂと、コア芯部１１ａとは逆向きに磁束が流れる２本の磁脚１１ｃと、を備える。
【００３０】
ホルダー６は、図７及び図８に示すように１次コイル２の巻線端末２ｂ、２次コイル３の巻線端末３ｂを保持する部材であり、板状に形成されて一対設けられている。一対のホルダー６は、コア１１を介して、ベース５のＸ方向の両端部を挟む位置に配設される。
ホルダー６は、平面状に延在する薄肉部６ｄと、Ｙ方向において薄肉部６ｄの端部から中央側に離れて形成され、Ｘ方向において薄肉部６ｄから中央側に突出する厚肉部６ａ、６ｂと、を有する。具体的には、厚肉部６ａは、支持部２７に収まるように台形状に形成されており薄肉部６ｄの下側に配設されている。厚肉部６ｂは、支持部２６に収まるように厚肉部６ａと対称的に倒立台形状に形成されており、薄肉部６ｄの上側に配設されている。厚肉部６ａに挿通孔１７が貫通して形成されており、厚肉部６ｂに挿通孔１８が貫通して形成されている。
【００３１】
このように、巻線端末２ｂが通される挿通孔１７が厚肉部６ａに形成され、巻線端末３ｂが通される挿通孔１８が厚肉部６ｂに形成されていることで、コア１１と巻線端末２ｂ及び巻線端末３ｂとの絶縁距離を確保することができる。具体的には、Ｚ方向に離れた位置においてＸ方向に巻線端末２ｂ及び巻線端末３ｂが延在する部分において、コア１１と巻線端末２ｂ及び巻線端末３ｂとの絶縁距離を確保することができる。
【００３２】
巻線端末２ｂ、３ｂのＺ方向の移動を制限する移動制限部は、ホルダー６に形成された巻線端末２ｂ、３ｂを通す挿通孔１７、１８の壁面１７ａ、１８ａであり、挿通孔１７、１８と後述するガイド溝７、８とが連続して形成されている。
このような構成によれば、例えば車両の揺れ等によってトランス１に外力が加わったときに、巻線端末２ｂ、３ｂの移動を制限することができる。具体的には、挿通孔１７、１８に通されてガイド溝７、８に沿って配設された巻線端末２ｂ、３ｂが、挿通孔１７、１８の壁面１７ａ、１８ａに当接することによって、巻線端末２ｂ、３ｂの移動が制限されることになる。このようにして、巻線端末２ｂ、３ｂに大きな繰り返し応力が加わることによって断線が生じることを抑制できる。
【００３３】
ガイド溝７、８は、巻線端末２ｂ、３ｂを、基板９の接合部にガイドする機能を有するとともに、巻線端末２ｂ間、巻線端末３ｂ間の沿面距離を長くすることによって耐圧を確保する機能を有する。
本実施形態に係るホルダー６のガイド溝７、８は、図７及び図８に示すように、基板９の第１接合部（挿通孔９ａ）に向かって延在する第１ガイド溝（ガイド溝７）と、基板９の第２接合部（挿通孔９ｂ）に向かって延在する第２ガイド溝（ガイド溝８）と、を含む。
第１ガイド溝（ガイド溝７）は、Ｙ方向の中央においてＺ−Ｘ面対称に、ホルダー６におけるＹ方向の中央から外側に３本ずつ計６本形成されている。
そして、第１ガイド溝（ガイド溝７）は、第２ガイド溝（ガイド溝８）に交差しない位置で、基板９の第１接合部（挿通孔９ａ）に向かって基板９に対して垂直に延在している。
第２ガイド溝（ガイド溝８）は、Ｙ方向の中央においてＺ−Ｘ面対称に、ホルダー６におけるＹ方向の中央から外側に３本ずつ計６本形成されている。
そして、第２ガイド溝（ガイド溝８）は、基板９の第２接合部（挿通孔９ｂ）に向かって直線的に延在する直線部８ｄと、直線部８ｄに対して交差する方向に延在する交差部８ｃと、を備える。
直線部８ｄは、交差部８ｃよりも基板９側に設けられ、基板９に対して垂直に延在している。
【００３４】
このような構成によれば、ガイド溝が、異なる形状の第１ガイド溝（ガイド溝７）と第２ガイド溝（ガイド溝８）を含むことで、基板９の各位置に巻線端末２ｂ、３ｂの先端部２ｃ、３ｃを配設しやすくなる。また、ガイド溝８が、基板９側に基板９に対して垂直に延在している直線部８ｄを含むことで、巻線端末３ｂに、接合部（挿通孔９ｂ）近傍において曲げ荷重が加わることを抑制でき、断線が生じることを抑制できる。
【００３５】
本実施形態に係る交差部８ｃは、直線部８ｄの延在方向に対して、約３０度の傾きでホルダー６の幅方向の中心側に傾斜している。
しかし、ガイド溝７と干渉しない位置まで巻線端末３ｂをガイドできれば、このような構成に限定されない。例えば、巻線端末３ｂになめらかに繋がるように円弧状に形成された交差部であってもよく、直線部８ｄに対して直交するように延在する交差部であってもよい。
【００３６】
例えば、直線部８ｄに対して直交する向きで延在する、換言すると、基板９に平行に延在する交差部であれば、巻線端末３ｂの移動を好適に制限することができる。具体的には、基板９から上方に向かう荷重が巻線端末３ｂに加わり、上方に移動しようとするときでも、挿通孔１８の壁面１８ａだけでなく、交差部の壁面に巻線端末３ｂが当接することによって、その移動を制限することができる。
【００３７】
ガイド溝７、８は、ホルダー６の薄肉部６ｄの厚みの半分（約半分を意味する。）の深さまで形成されている。
挿通孔１７、１８の縁のうち、ガイド溝７、８と交差する部位には、Ｒ面取りが施されている。このため、巻線端末２ｂ、３ｂの折り曲げ部位に当接する領域が局所的となり、集中荷重が、挿通孔１７、１８の縁に加わることが抑制されている。
【００３８】
一対のホルダー６のそれぞれは、基板９に向かってホルダー６の底面から突出して形成された２つの係合突起（ボス６ｃ）をＹ方向の両端部に１つずつ有する。そして、基板９には、係合突起（ボス６ｃ）に係合する２つの被係合部（挿通孔９ｂ）がＹ方向の両端部に形成されている。
このように係合突起（ボス６ｃ）を被係合部（挿通孔９ｂ）に係合させる構成によれば、巻線端末２ｂの先端部２ｃを挿通孔９ａに通し、巻線端末３ｂの先端部３ｃを挿通孔９ｂに通した状態を好適に維持することができる。
なお、ホルダー６と基板９とを係合できればよく、基板９のそれぞれに、ホルダー６に向かって突出して形成された係合突起が形成されて、ホルダー６に係合突起に係合する被係合部が形成されていてもよい。被係合部の構成は、係合突起に係合可能なものであれば任意に選択可能であり、被係合部及び係合突起の数も任意に選択可能である。
【００３９】
本実施形態に係るボス６ｃは、図２に示すように、基板９の板厚よりも長く突出して、基板９の底面から下方に突出しているが、基板９の板厚程度の長さで形成されていてもよい。
基板９に対する一対のホルダー６の位置が定まることで、一対のホルダー６に挟持された一対のコア１１、ベース５及びコイルＣの位置が定まることになる。
【００４０】
巻線端末２ｂ、３ｂは、ガイド溝７、８に収容されて、その移動を制限できれば、その位置は任意である。
例えば、図８に示すように、本実施形態に係る巻線端末３ｂは、ガイド溝８のうち少なくとも直線部８ｄにおけるＹ方向の外側の内側面に沿うように配設されていてもよい。そして、巻線端末３ｂの先端部３ｃを通す挿通孔９ｂは、このように配設された巻線端末３ｂの延長上の位置に形成されていてもよい。
この構成について具体的には、Ｙ方向において、ボス６ｃの中心から、複数の直線部８ｄのそれぞれにおけるＹ方向の外側の内側面までの長さに巻線端末３ｂの半径を加えた長さと、被係合穴９ｃの中心から複数の挿通孔９ｂそれぞれの中心までの長さとが、同じ長さとなるように設定されている。
【００４１】
本実施形態に係るトランス１においては、巻線端末２ｂ、３ｂの先端部２ｃ、３ｃを半田処理した端子とし、その端子を絶縁材料からなるホルダー６に設けられた挿通孔１７、１８及びガイド溝７、８に通すことにより引出位置を固定することができる。このように固定された巻線端末２ｂ、３ｂは、基板９の挿通孔９ａ、９ｂへの挿入を容易に行うことができ、基板９の挿通孔９ａ、９ｂ部分において半田付けによる接合を容易に行うことができる。
【００４２】
また、本実施形態に係るトランス１は、図１及び図２に示すように、一対のコア１１と、一対のコア１１を挟持する位置に配設された一対のホルダー６と、を固定する帯状部材（テープ１０）を更に備える。
上記のように、ホルダー６は、コア１１を挟持するように一対設けられている。帯状部材（テープ１０）は、コア１１と一対のホルダー６を囲って固定しており、巻線端末３ｂの少なくとも一部を覆うように、巻線端末３ｂを収容しているガイド溝８の少なくとも一部に亘って配設されている。
コア１１とホルダー６とを接着等によって取り付けてもよいが、帯状部材（テープ１０）を用いることで、テープ１０によりコア１１とホルダー６とを固定しつつ、ガイド溝８内に挿入された巻線端末３ｂが、ガイド溝８から抜け出ることを防止することができる。本実施形態に係るテープ１０は、巻線端末３ｂの一部を覆うように、巻線端末３ｂを収容しているガイド溝８の一部に亘って配設されているが、巻線端末２ｂの一部を覆うように、巻線端末２ｂを収容しているガイド溝７の一部に亘って配設するようにしてもよい。
【００４３】
本発明は多様なコイル部品に適用可能であるが、特にトランス１の場合、コイルＣの端子数が多くなり、複数の端子それぞれの絶縁距離を確保する必要があるため、引き回しの位置固定が重要である。本実施形態に係るトランス１は、ホルダー６に複数本のガイド溝７、８を備えることによって、１次コイル２、２次コイル３の複数の巻線端末２ｂ、３ｂに相応の距離を保証することが可能となる。
さらに、巻線端末２ｂ、３ｂは、挿通孔１８の壁面１８ａでその位置を制限されるため、振動による端子への負担が軽減できる。
【００４４】
＜＜第１変形例＞＞
上記の実施形態においては、ガイド溝７、８の幅が、巻線端末２ｂ、３ｂの線径よりも若干小さく形成されていれば、巻線端末２ｂ、３ｂが径方向に弾性変形した状態でガイド溝７及びガイド溝８内に収まることになる。
このようにすれば、巻線端末２ｂ、３ｂのそれぞれが、ガイド溝７、８のそれぞれにおける幅方向に対向する壁面に当接する状態で、巻線端末２ｂ、３ｂに復元力が生じて、巻線端末２ｂ、３ｂがガイド溝７、８から抜け出ることを抑制できる。
【００４５】
次に、第１変形例に係るホルダー３６を、図９及び図１０を参照して説明する。図９は、第１変形例に係るホルダー３６の断面の一部を示す図であり、図３のIX-IX断面に対応する部位における模式的な断面図である。図１０は、他の例に係るホルダー６の断面の一部を示す図であり、図３のIX-IX断面に対応する部位における模式的な断面図である。
本変形例に係るホルダー３６は、巻線端末２ｂをガイドするガイド溝３７、巻線端末３ｂをガイドするガイド溝３８の壁面に、ガイド溝３７、３８内に挿入された巻線端末２ｂ、３ｂの抜け出しを防ぐように係止する一対の係止爪３９を備える。
一対の係止爪３９は、ガイド溝３７、３８の開口を狭めるように形成されている。係止爪３９により、ガイド溝３７、３８内に挿入された巻線端末２ｂ、３ｂが、ガイド溝３７、３８から抜け出ることを防止することができる。
【００４６】
具体的には、係止爪３９としては、巻線端末２ｂ、３ｂの線径と同じ開口幅を有するものであるか、小さい開口幅を有して弾性変形可能に構成されるものであれば、巻線端末２ｂ、３ｂがガイド溝３７、３８から抜け出ることを少なくとも抑制できる。
なお、係止爪３９は、一対設けられるものに限定されず、ガイド溝３７、３８の幅方向一方側のみからガイド溝３７、３８の開口を狭めるように形成されていてもよい。
さらには、係止爪３９は、ガイド溝３７、３８の底部に向かうにつれて開口幅が狭められた傾斜形状の爪であってもよい。このような構成によれば、ガイド溝３７、３８に巻線端末２ｂ、３ｂを挿入しやすいが、ガイド溝３７、３８に収容された巻線端末２ｂ、３ｂの抜け出しを防ぎやすくなる。その他、係止爪３９は、断面三角形状の爪であってもよい。
【００４７】
また、本例に係る係止爪３９は、図９に示すように、ガイド溝３７、３８の深さ方向中途の内壁面から突出している。このような構成によれば、係止爪３９とホルダー３６の外面との間に凹部３９ａが形成されることになるため、巻線端末２ｂ、３ｂを、凹部３９ａに押し当てながらガイド溝３７、３８に容易に押し込むことができるため好適である。しかしながら、本発明は、このような構成に限定されず、係止爪３９は、ホルダー３６の外面と面一に形成されていてもよい。
【００４８】
他の例としては、図１０に示すように、トランス１が、ガイド溝７、８に取り付けられる封止材（シリコンゴム４０）を備えるものであってもよい。
封止材（シリコンゴム４０）は、ガイド溝７、８内に挿入された巻線端末２ｂ、３ｂを覆うようにガイド溝７、８に取り付けられている。
封止材（シリコンゴム４０）により、ガイド溝７、８内に挿入された巻線端末２ｂ、３ｂが、ガイド溝７、８から抜け出ることを防止することができる。
また、シリコンゴム４０を図９に示す凹部３９ａに取り付けるようにしてもよい。
【００４９】
＜＜第２変形例＞＞
上記実施形態においては、挿通孔１８の壁面１８ａが巻線端末３ｂのＺ方向の移動を制限するものとして説明した。しかし、本発明はこのような構成に限定されない。
次に、第２変形例に係るホルダー３６を、図１１を参照して説明する。図１１は、第２変形例に係る爪部５６ａを有するホルダー５６の一部を示す上側斜視図である。
第２変形例に係る移動制限部は、ホルダー５６の上端部に設けられて、ホルダー５６における基板９側とは逆側（本実施形態においては上側）への巻線端末３ｂの移動を制限する一対の爪部５６ａである。
【００５０】
第２変形例に係るホルダー５６の上面には、巻線端末３ｂの上部をガイドする上部ガイド溝５６ｃがガイド溝８と連続する位置に形成されている。
一対の爪部５６ａは、ホルダー５６における基板９側とは逆側（本実施形態においては上側）から、上部ガイド溝５６ｃに収容された巻線端末３ｂを覆うように形成されている。
【００５１】
具体的には、爪部５６ａとしては、巻線端末３ｂの線径と同じ開口幅を有するものであるか、小さい開口幅を有して弾性変形可能に構成されるものであれば、巻線端末３ｂが上部ガイド溝５６ｃから抜け出ることを少なくとも抑制できる。
なお、爪部５６ａは、一対設けられるものに限定されず、上部ガイド溝５６ｃの幅方向一方側のみから上部ガイド溝５６ｃの開口を狭めるように形成されていてもよい。
【００５２】
トランス１の製造者は、巻線端末３ｂを上部ガイド溝５６ｃ内に上方から押し付けて収容させ、上部ガイド溝５６ｃとガイド溝８とが交差する端部から、ガイド溝８に沿うように下方に折り曲げる。
このようにすれば、巻線端末３ｂを挿通孔１８に通すよりも簡単にガイド溝８内に挿入することができ、爪部５６ａによって巻線端末３ｂの移動を制限することができる。特に、上記の実施形態に係る挿通孔１８に巻線端末３ｂを通さずに、対向する爪部５６ａの間において外部と連続する上部ガイド溝５６ｃに巻線端末３ｂを押し込むことによって、ホルダー５６に巻線端末３ｂを取り付けることができる。
特に、巻線端末３ｂを下方に押圧する自動機（ベンダー）を用いることによって、巻線端末３ｂを上部ガイド溝５６ｃに収容させて爪部５６ａに係止させつつ、ガイド溝８に沿って巻線端末３ｂを折り曲げることができ、製造効率を高めることができる。
【００５３】
また、本例に係る爪部５６ａは、図１１に示すように、上部ガイド溝５６ｃの深さ方向中途の内壁面から突出している。このような構成によれば、爪部５６ａとホルダー５６の端面（上面）との間に凹部５６ｄが形成されることになるため、巻線端末３ｂを、凹部５６ｄに押し当てながら上部ガイド溝５６ｃに容易に押し込むことができるため好適である。しかしながら、本発明は、このような構成に限定されず、爪部５６ａは、ホルダー５６の上面と面一に形成されていてもよい。
【００５４】
上記実施形態においては、巻線端末２ｂ、３ｂをガイドするものとして、ホルダー６の正面から窪んで形成されたガイド溝７、８を例に説明したが、本発明はこのような構成に限定されない。例えば、本発明に係るガイド溝としては、ホルダー６の正面と同じ高さにあるが、両側に一連の突出条が、ガイド溝７、８と同様に延在していることによって相対的に窪んで形成されるガイド溝であってもよい。この場合の突出条は、巻線端末２ｂの相互間、巻線端末３ｂの相互間の沿面距離を確保するため、断続的ではなく、連続的に形成されていると好適である。
【００５５】
上記実施形態においては、１次コイル２及び２次コイル３を備えるトランス１を例に説明したが、本発明は、トランス１に係るものに限定されない。例えば、チョークコイル、リアクトルその他のコイル部品に適用することができ、この場合のコイル部品は、２種類のガイド溝７、８のうち、ガイド溝７のみを有するホルダーを備えるものであってもよい。
【００５６】
上記実施形態においては、ホルダー６の正面（外側の面）に、ガイド溝７、８が形成されている例について説明したが、本発明はこのような構成に限定されず、例えば、ホルダー６のコア１１に対向する側の面にガイド溝が形成されていてもよい。この場合、コア１１にバリアテープを巻いたり、溝の深さを十分に深くするようにしたりして、コア１１と巻線端末２ｂ、３ｂとの空間距離を十分に確保するようにして、コア１１と巻線端末２ｂ、３ｂとの絶縁が確保できればよい。
【００５７】
上記各実施形態は、以下の技術思想のいずれかを包含する。
（１）巻線から成るコイルと、
該コイルから引き出された巻線端末が前記コイルの巻軸方向に交差する方向に延在するように支持するホルダーと、
前記巻線端末の先端部と接合するための複数の接合部を有する基板と、を備え、
前記ホルダーは、
前記巻線端末の少なくとも一部を収容し、前記巻線端末の先端部を前記接合部に向かわせるように延在してガイドするガイド溝と、
前記基板に垂直な方向への前記巻線端末の移動を制限する移動制限部と、を有することを特徴とするコイル部品。
（２）前記移動制限部は、前記ホルダーに形成された前記巻線端末を通す挿通孔の壁面であり、
前記挿通孔と前記ガイド溝とが連続して形成されている（１）に記載のコイル部品。
（３）前記移動制限部は、前記ホルダーの端部に設けられて、前記ホルダーにおける前記基板側とは逆側への前記巻線端末の移動を制限する爪部であり、
該爪部は、前記ホルダーにおける前記基板側とは逆側から前記巻線端末を覆うように形成されている（１）に記載のコイル部品。
（４）前記爪部と前記ホルダーの端部の端面との間に凹部が形成されている（３）に記載のコイル部品。
（５）前記ガイド溝は、直線的に延在する直線部と、該直線部に対して交差する方向に延在する交差部と、を備え
前記直線部は、前記交差部よりも前記基板側に設けられており、前記基板に対して垂直に延在している（１）から（４）のいずれか一項に記載のコイル部品。
（６）前記ホルダーと前記基板との一方は、他方に向かって突出して形成された複数の係合突起を有し、
前記ホルダーと前記基板との他方には、前記係合突起に係合する複数の被係合部が形成されている（１）から（５）のいずれか一項に記載のコイル部品。
（７）前記コイルに組付けられるコアと、
該コアと前記ホルダーとを固定する帯状部材と、を更に備え、
前記ホルダーは、前記コアを挟持するように一対設けられており、
前記帯状部材は、前記コアと前記一対のホルダーを囲って固定しており、前記巻線端末の少なくとも一部を覆うように、前記巻線端末を収容している前記ガイド溝の少なくとも一部に亘って配設されている（１）から（６）のいずれか一項に記載のコイル部品。
（８）前記コイルが取り付けられるボビンと、
前記巻線端末が前記ボビンから前記ホルダーの前記ガイド溝に向かって延在するように、複数の前記巻線端末を個別に支持する支持部と、を更に備える（１）から（７）のいずれか一項に記載のコイル部品。
（９）前記支持部は、複数の前記巻線端末を個別に間隔を空けて支持可能となるように、櫛歯状に形成されている（８）に記載のコイル部品。
（１０）前記支持部は、前記巻線端末を挿通させる挿通孔と、該挿通孔に通された前記巻線が抜け出ることを防ぐ爪部と、を備える（８）又は（９）に記載のコイル部品。
（１１）前記ガイド溝の壁面に、前記ガイド溝内に挿入された前記巻線端末の抜け出しを防ぐように係止する係止爪を備え、
該係止爪は、前記ガイド溝の開口を狭めるように形成されている（１）から（１０）のいずれか一項に記載のコイル部品。
（１２）前記ガイド溝に取り付けられる封止材を更に備え、
該封止材は、前記ガイド溝内に挿入された前記巻線端末を覆うように前記ガイド溝に取り付けられている（１）から（１１）のいずれか一項に記載のコイル部品。
（１３）第１巻線から成る第１コイルと、
該第１コイルとは異なる巻数の第２巻線から成る第２コイルと、
前記第１コイルから引き出された第１巻線端末、及び前記第２コイルから引き出された第２巻線端末を支持するホルダーと、
前記第１巻線端末の先端部及び前記第２巻線端末の先端部と接合する複数の接合部を有する基板と、を備え、
前記ホルダーは、
前記第１巻線端末の少なくとも一部及び前記第２巻線端末の少なくとも一部を収容し、前記第１巻線端末の先端部及び前記第２巻線端末の先端部を前記接合部に向かわせるように延在してガイドする複数のガイド溝と、
前記基板に垂直な方向への前記第１巻線端末及び前記第２巻線端末の移動を制限する複数の移動制限部と、を有することを特徴とするトランス。
（１４）前記複数のガイド溝は、前記基板の第１接合部に向かって延在する第１ガイド溝と、前記基板の第２接合部に向かって延在する第２ガイド溝と、を含み、
前記第１ガイド溝は、前記第２ガイド溝に交差しない位置で、前記基板の前記第１接合部に向かって前記基板に対して垂直に延在し、
前記第２ガイド溝は、前記基板の前記第２接合部に向かって直線的に延在する直線部と、該直線部に対して交差する方向に延在する交差部と、を備え、
前記直線部は、前記交差部よりも前記基板側に設けられ、前記基板に対して垂直に延在している（１３）に記載のトランス。
【符号の説明】
【００５８】
１  トランス（コイル部品）
２  １次コイル（第１コイル）
２ａ  巻線（第１巻線）
２ｂ  巻線端末（第１巻線端末）
２ｃ  先端部
３  ２次コイル（第２コイル）
３ａ  巻線（第２巻線）
３ｂ  巻線端末（第２巻線端末）
３ｃ  先端部
５  ベース
６  ホルダー
６ａ、６ｂ  厚肉部
６ｃ  ボス（係合突起）
６ｄ  薄肉部
７  ガイド溝（第１ガイド溝）
８  ガイド溝（第２ガイド溝）
８ｃ  直線部
８ｄ  交差部
９  基板
９ａ  挿通孔（接合部、第１接合部）
９ｂ  挿通孔（接合部、第２接合部）
９ｃ  被係合穴（被係合部）
１０  テープ（帯状部材）
１１  コア
１１ａ  コア芯部
１１ｂ  コア端部
１１ｃ  磁脚
１７、１８  挿通孔
１７ａ、１８ａ  壁面（移動制限部）
２５  ボビン
２５ａ  筒部
２５ｂ  鍔部
２６、２７  支持部
２６ａ、２７ａ  中心側壁
２６ｂ、２７ｂ  傾斜壁
２６ｃ、２７ｃ  立壁
２６ｄ、２７ｄ  対向壁
２６ｅ、２７ｅ  挿通孔
２６ｆ、２７ｆ  切欠き
２６ｇ、２７ｇ  爪部
３６  ホルダー
３７、３８  ガイド溝
３９  係止爪
３９ａ  凹部
４０  シリコンゴム（封止材）
５６  ホルダー
５６ａ  爪部
５６ｂ  上端面
５６ｃ  上部ガイド溝
５６ｄ  凹部
Ｃ  コイル
【図１】
2019169562.tif 000003
【図２】
2019169562.tif 000004
【図３】
2019169562.tif 000005
【図４】
2019169562.tif 000006
【図５】
2019169562.tif 000007
【図６】
2019169562.tif 000008
【図７】
2019169562.tif 000009
【図８】
2019169562.tif 000010
【図９】
2019169562.tif 000011
【図１０】
2019169562.tif 000012
【図１１】
2019169562.tif 000013